(57)【特許請求の範囲】
【請求項１】
対シールド（１０）を形成するためのシールドフォイル（１４）により囲まれる縦方向に延伸する２つのワイヤ（４）からなる少なくとも１つのワイヤ対（２）を有する高速データ伝送用データケーブル（２２）であって、誘電中間膜（１２）がシールドフォイル（１４）と前記ワイヤ対（２）との間の追加膜として前記ワイヤ対周囲に巻き付けられている、データケーブル（２２）において、
前記中間膜（１２）は、そのピッチ（ｌ）を変化させて、前記ワイヤ対（２）周囲に巻き付けられていることを特徴とする、データケーブル（２２）。
【請求項２】
前記ピッチ（ｌ）は、平均ピッチ（ｌｍ）に対して少なくとも最大＋／−１０％まで変化することを特徴とする、請求項１に記載のデータケーブル（２２）。
【請求項３】
前記中間膜（１２）は５ｍｍ〜１５ｍｍの範囲内に入る平均ピッチ（ｌｍ）を呈示することを特徴とする、請求項１または２に記載のデータケーブル（２２）。
【請求項４】
前記ピッチ（ｌ）は縦方向（１７）に一様に変化することを特徴とする、請求項１〜３のいずれか一項に記載のデータケーブル（２２）。
【請求項５】
前記縦方向（１７）の前記ピッチ（ｌ）は、１ｍ〜５ｍの範囲内に入る周期長（ｐ）で定期的に変化する、ことを特徴とする、請求項１〜４のいずれか一項に記載のデータケーブル（２２）。
【請求項６】
別の、特に接着性の、外側膜（２０）が前記対シールド（１０）周囲に巻き付けられていることを特徴とする、請求項１〜５のいずれか一項に記載のデータケーブル（２２）。
【請求項７】
前記外側膜（２０）はそのピッチ（ｌ）が変化することを特徴とする、請求項６に記載のデータケーブル（２２）。
【請求項８】
前記中間膜（１２）は前記シールドフォイル（１４）のピッチ（ｌ）と異なるピッチ（ｌ）でもって前記ワイヤ対（２）周囲に巻き付けられていることを特徴とする、請求項１〜７のいずれか一項に記載のデータケーブル（２２）。
【請求項９】
前記外側膜（２０）と前記中間膜（１２）は反対方向巻き付けでもって前記ワイヤ対（２）周囲に巻き付けられていることを特徴とする、請求項６または７に記載のデータケーブル（２２）。
【請求項１０】
前記シールドフォイル（１４）は一定ピッチ（ｌ）でもって前記ワイヤ対（２）周囲に巻き付けられていることを特徴とする、請求項１〜９のいずれか一項に記載のデータケーブル（２２）。
【請求項１１】
前記シールドフォイル（１４）は縦方向折り畳みフォイルの形式を採ることを特徴とする、請求項１〜１０のいずれか一項に記載のデータケーブル（２２）。
【請求項１２】
前記シールドフォイル（１４）は、絶縁裏打ち層（１６ａ）とそれに取り付けられた導電層（１６ｂ）とを有する多層構造を呈示することを特徴とする、請求項１〜１１のいずれか一項に記載のデータケーブル（２２）。
【発明の詳細な説明】
【技術分野】
【０００１】
本発明は、対シールドを形成する目的のためにシールドフォイルによりペアで囲まれる縦方向に延伸する２つのワイヤからなる少なくとも一対のワイヤと、シールドフォイルと一対のワイヤとの間の追加膜として一対のワイヤ周囲に巻かれた非導電性中間膜とを有する高速データ伝送用データケーブルに関する。出願の時点で、このようなタイプのデータケーブルは商品名「２３Ｐａｒａｌｉｎｋ」で本出願人により販売されている。このようなタイプのデータケーブルは特に、例えばコンピュータセンタ内のコンピュータ間の信号の高速伝送のために採用される。
【背景技術】
【０００２】
データ伝送の分野では、例えばコンピュータネットワークでは、通常はいくつかのデータ線が共通ケーブル被覆内で組み合わせられたデータケーブルが採用される。高速データ伝送の場合、各々、２つのワイヤが特に互いに平行に延びるまたはそうでなければ撚り合わせられたシールドワイヤ対がデータ線として使用される。それぞれのワイヤはこの場合、各々絶縁により囲まれる実際の導体（例えば太い導体ワイヤまたは撚りワイヤ）で構成される。それぞれのデータ線の一対のワイヤは（対）シールドにより囲まれる。データケーブルは通常、このようなやり方でシールドされ線コアを形成し共通外部シールドと共通ケーブル被覆とにより囲まれた複数のワイヤ対を呈示する。このようなタイプのデータケーブルは、高速データ接続のために採用され、１４ＧＨｚを超える伝送周波数において１０Ｇｂｉｔ／ｓを超えるデータ速度のために設計される。外部シールドはこの場合、電磁適合性（ＥＭＣ：ｅｌｅｃｔｒｏｍａｇｎｅｔｉｃ  ｃｏｍｐａｔｉｂｉｌｉｔｙ）およびまた環境との電磁干渉（ＥＭＩ：ｅｌｅｃｔｒｏｍａｇｎｅｔｉｃ  ｉｎｔｅｒｆｅｒｅｎｃｅ）のために重要である。いかなる信号も外部シールドを介し送信されない。対照的に、それぞれの対シールドはそれぞれのワイヤ対の対称性および信号特性を決定する。この接続では、対シールドの高対称性は安定データ伝送のために重要である。
【０００３】
このようなタイプのデータケーブルの場合、これは通常、信号が一方のワイヤを介し伝達されその反転信号が他方のワイヤを介し伝達される所謂対称データ線の問題である。これら２つの信号に作用する外部影響が除去されているように、両信号間の差動信号成分が評価される。
【０００４】
このようなタイプのデータケーブルはしばしば、予め組み立てられた形態でコネクタへ結合される。高速伝送のためのアプリケーションの場合、コネクタは所謂小型プラグ可能（ｓｍａｌｌ−ｆｏｒｍ−ｐｌｕｇｇａｂｌｅ）コネクタ（略してＳＦＰコネクタ）としてしばしば設計される。この場合、異なる実際の変形形態（例えば所謂ＳＦＰ＋、ＣＸＰまたはＱＳＦＰコネクタ）が存在する。これらのコネクタは、例えば国際公開第２０１１／０７２８６９Ａ１号パンフレットまたは国際公開第２０１１／０８９００３Ａ１号パンフレットから得られるような特殊コネクタ筐体を呈示する。代替的に、コネクタ無しの所謂直接型バックプレーン接続も可能である。
【０００５】
それぞれのワイヤ対の対シールドはこの場合、縦方向折り畳みシールドフォイルとしてしばしば形成される（例えば欧州特許出願第２，１１２，６６９Ａ２号明細書から得られるように）。したがって、シールドフォイルはケーブルの縦方向に延びる一対のワイヤ周囲に折り畳まれ、シールドフォイルの対向外側領域は縦方向に延びる重畳領域内で重なる。この縦方向折り畳みシールドフォイルの規定据え付けを保証し、２つのワイヤ間のフィラ領域内へのこの縦方向折り畳みシールドフォイルのねじれを回避するために、プラスチックからなる誘電中間膜（特に、ＰＥＴ膜）がシールドフォイルと一対のワイヤとの間に巻き付けられている。
【０００６】
シールドに使用されるシールドフォイルの場合、これは、少なくとも１つの導電（金属）層と絶縁裏打ち層とからなる多層シールドの問題である。導電層には、通常アルミニウムの層が使用され、絶縁層には、通常ＰＥＴの膜が使用される。ＰＥＴ膜は、導電層を形成する目的のために金属被覆が塗布された支持体の形態を採る。
【０００７】
平行に誘導される対の場合の縦方向折り畳みシールドに加えて、原理的に、一対のワイヤの周囲にこのようなタイプのシールドフォイルを螺旋形式で包むまたは巻き付ける可能性もある。しかし、約１５ＧＨｚから始まる高い信号周波数では、シールドフォイルによる一対のワイヤのこのようなラッピングは、構造のタイプに起因する共鳴効果の理由により、容易には可能でない。したがって、これらの高周波数に関し、シールドフォイルはしばしば縦方向折り畳みシールドフォイルとして優先的に取り付けられる。
【０００８】
独国特許出願公開第１０２０１２２０４５５４Ａ１号明細書から、信号導体が変化する撚り長を有する撚り線導体の形態を採る高周波信号伝送用信号ケーブルが得られる。補足として、信号ケーブルはさらにシールド編み組みを呈示し、シールド編み組みの個々の編み組み撚り線が巻かれる（ここでもまた、変化する撚り長でもって）。これらの処置のおかげで伝送品質は改善される。
【０００９】
独国特許出願公開第１０３１５６０９Ａ１号明細書から、シールドフォイルの形態を採る対シールドにより一対のワイヤが囲まれる高周波データ伝送用データケーブルが得られる。補足として、中間膜もまた一対のワイヤ周囲に巻き付けられている。
【００１０】
米国特許出願公開第２０１４／０１２４２３６Ａ１号明細書から、対シールドの形式で提供されるシールドフォイルが変化する撚り長でもって一対のワイヤ周囲に巻き付けられている別の高速データケーブルが得られる。
【先行技術文献】
【特許文献】
【００１１】
【特許文献１】国際公開第２０１１／０７２８６９Ａ１号パンフレット
【特許文献２】国際公開第２０１１／０８９００３Ａ１号パンフレット
【特許文献３】欧州特許出願第２，１１２，６６９Ａ２号明細書
【特許文献４】独国特許出願公開第１０２０１２２０４５５４Ａ１号明細書
【特許文献５】独国特許出願公開第１０３１５６０９Ａ１号明細書
【特許文献６】米国特許出願公開第２０１４／０１２４２３６Ａ１号明細書
【発明の概要】
【発明が解決しようとする課題】
【００１２】
以上より、本発明の根底にある目的は、高伝送レートおよび高い伝送周波数においても良好な伝送品質を有する高速データケーブルを規定することである。
【課題を解決するための手段】
【００１３】
本発明によると、上記目的は、縦方向に延伸し、特に互いに平行に延び、対シールドを形成する目的のためにシールドフォイルによりペアで囲まれる、２つのワイヤからなる少なくとも一対のワイヤによる高速データ伝送用データケーブルにより達成される。シールドフォイルと一対のワイヤとの間で、誘電中間膜が追加膜として一対のワイヤ周囲に巻き付けられている。追加の誘電中間膜はこの場合、変化する撚り長でもって一対のワイヤ周囲に巻き付けられている。
【００１４】
データケーブルは、その開始点として、特にワイヤ対と対シールドとの間に追加中間膜を有する縦方向折り畳みシールドフォイルを有するデータケーブルを採る。いくつかの研究は、非常に高い伝送周波数ではピーク型減衰もまたこのようなタイプのデータケーブルにおいて発生するということを示した。このピーク型減衰は、誘電中間膜の撚り長の変動により明確に低減される可能性がある。ピーク型減衰は撚り長の周期との周期的干渉構造の理由による反射効果（中間膜のラッピングにより導入された）に帰されるということを仮定する。各々、信号の一部はこの干渉構造上で反射される。厳しい周期性のおかげで、高周波数における狭帯域でかつ鋭い減衰が複数の干渉点における反射効果のために形成される。したがって、これは、所謂挿入損の場合には高周波数における高減衰ピークを生じる。本ケースにおける「挿入損」は信号が信号経路（ケーブル長）を通過する際に経験する減衰であると理解される。周期構造のおかげで、加えて、これもまた、所謂リターンロスの場合には高周波数における高減衰量ピークを生じる。この場合、信号の供給側では、挿入損の吸収ピークと相関がある信号のピークが反射の理由により高周波数において得られる。
【００１５】
原理的に、減衰周波数を幾何学的処置（例えば短い撚り長など）により高周波数方向にシフトする可能性があるだろう。序論で説明したＰａｒａＬｉｎｋケーブルでは、これは巻線の極めて急なピッチにより得られる。この場合の撚り長は特に約３ｍｍであるので、ピーク型挿入損およびしたがってまたリターンロスは２５ＧＨｚ超に位置する。現在適用可能な標準規格によると、このような線におけるこのようなタイプのピークは最大２５ＧＨｚまでの周波数範囲内で発生してはならない。しかし、より強いラッピングの理由により、短い撚り長は、一対のワイヤのラッピングの過程で低処理速度を生じ、高コストに繋がる。
【００１６】
したがって、中間膜を有する従来のデータケーブルでは、比較的大きな減衰（減衰ピーク）が、固定された狭い周波数においてすべての個々の反射の加算の理由により発生する。この結果、信号の高い減衰が発生するので、高い伝送周波数に対する所謂挿入損の要件は不十分なものとしかならない。対照的に、撚り長を変化させることにより、いかなる減衰ピークも固定周波数にはもはや存在しないので、挿入損の要件は高周波数においても満足される。同時に、その結果、撚り長を延長し、処理速度を増加させ、したがってコストを低減する可能性がある。
【００１７】
この接続における中間膜の「撚り長」または「ピッチ」により、ケーブルの縦方向の間隔は、ラッピングが一対のワイヤ周囲の３６０°回転を必要とするものと理解される。
【００１８】
この接続における好都合な別の展開形態において、撚り長は平均撚り長に対して少なくとも＋／−５％、特には少なくとも＋／−１０％の範囲内で変化される。単にこの比較的小さな変動は望ましくない減衰ピークを回避するのに十分であると分かった。変動の上限は例えば＋／−４０％である。
【００１９】
この場合の中間膜の平均撚り長は優先的には数ミリメートルの範囲内、特には５ｍｍ〜１５ｍｍの範囲内に入る。特に、この場合の平均撚り長は約６ｍｍ〜８ｍｍに入る。この撚り長により、中間膜のラッピングの高速かつ信頼できる（プロセス工学の点で）生成が可能にされる。高処理速度が達成される。同時に、中間膜に関し望ましい特性は、その上に取り付けられたシールドフォイルを一対のワイヤ周囲の規定された一様な幾何学形状で配置するために、この手段（すなわち、一対のワイヤの規定および固定されたラッピング）により得られるので、シールドフォイルのいかなる対称干渉点も形成されない。
【００２０】
変化する撚り長の特定利点は、以下の例に基づき明確になる：６ｍｍの撚り長の場合、１メートル当たり約１６６回のラッピング、およびしたがって１６６の周期的干渉点が生じる。１５ＧＨｚにおけるこれらの干渉点の結果として、リターンロスの鋭いピークを生じ、これは、底部では幅が約１８０ＭＨｚしかない。＋／−１５％の変動の場合、底部は４５００ＭＨｚへ拡大され、最大値は明確に低減される。
【００２１】
この場合、撚り長は好都合には、一様に、および特に縦方向に連続的に、例えば正弦波的に、変化する。したがって、撚り長は平均値を中心として最大値と最小値との間で変化する。プロセス工学の点で、これは、例えばラッピング工程の過程における一対のワイヤの引き出し速度の変動によりおよび／または巻き付け速度の変動により達成され得る。好都合には、この場合、縦方向の撚り長は、数メートルの範囲内、特に１ｍ〜５ｍの範囲内に優先的に入り、好適には２ｍになる周期長に応じて定期的に変化する。したがって、「変動の周期長」により、縦方向の長さが撚り長の２つの最大値間に入るものと理解される。この周期性のおかげで、周期的干渉点が、この場合当該伝送周波数に対し選択された周期長の理由により、および典型的ケーブル長により順に導入されるが、これは重要でない。
【００２２】
別の、特に接着性の、外側膜が好都合には対シールド周囲に巻き付けられている。前記外側膜は特に構造全体を固定するために役立つ。前記外側膜はこのとき誘電体膜（特にＰＥＴ膜）である。
【００２３】
好ましい別の展開形態では、この外側膜もまたその撚り長を変化させるということが規定される。中間膜に関して挙げた議論および好ましい実施形態もまた同様なやり方でこの外側膜に適用される。したがって、前記外側膜は優先的に、中間膜と同一または少なくとも同等の捻じり長および同一または少なくとも同様な撚り長の変動を呈示する。前記外側膜は好都合には中間膜に対し反対方向に巻き付けられている。
【００２４】
さらに、中間膜は、シールドフォイルの撚り長とは異なる平均撚り長でもって一対のワイヤ周囲に優先的に巻き付けられている。原理的に、（一方ではシールドフォイルの他方では中間膜の）異なる物理的境界条件の理由により生じる異なる減衰効果は、その結果、それぞれ選択的に低減または回避され得る。
【００２５】
特に、シールドフォイルは一対のワイヤ周囲に一定撚り長でもって巻き付けられているようになっている。
【００２６】
好都合な構成では、シールドフォイルは、縦方向折り畳みフォイル（すなわち撚り長が無限である仮想的シールドフォイル）である。この措置により、前述の共鳴効果の理由によるシールドフォイルの減衰効果は確実に回避された。
【００２７】
シールドフォイルは原理的に、絶縁裏打ち層（裏打ち膜とも称する）とそれに取り付けられた導電層とを有する多層構造を呈示する。裏打ち層は特に誘電プラスチック膜（特にＰＥＴ膜）である。それに取り付けられる導電層の場合、これは、特に例えば蒸着により裏打ち膜上へ付着されたアルミニウムの層の問題である。
【００２８】
通常、データケーブル全体はさらに、少なくとも一対のワイヤ周囲に配置されたケーブル被覆を呈示する。データケーブルは通常、対シールドを備えたいくつかのワイヤ対（これは通常共通ケーブル被覆内に撚り合わせられて延びる）を呈示する。補足として、外側シールドは通常、個々のワイヤ対の全合成物周囲に配置されている。この場合、これは、例えばシールド編み組みおよび／または多層シールド構造の問題である。この外側シールドは個々の対シールドに対し電気化学的に隔てられている。これは特に、各対の前述の外側膜を介し得られる、またはワイヤ対の巻き付けられている合成物を囲む共通絶縁膜によっても得られる。
【００２９】
本発明の実施形態は添付図面を参照して以下にさらに詳細に明らかにされる。添付図面は各々単純化された図示である。
【図面の簡単な説明】
【００３０】
【図１】データケーブルの対シールドにより囲まれた一対のワイヤの断面図である。
【図２】図１による中間膜により包まれた一対のワイヤを詳細な側面図である。
【図３】２つのシールドワイヤ対を有するデータケーブルの概略断面図である。
【図４】中間膜の撚り長の変動の例示である。
【図５Ａ】従来のシールドワイヤ対の場合の挿入損の図である。
【図５Ｂ】変化する撚り長でもって巻かれた中間膜を備えた一対のワイヤの場合の挿入損の図である。
【図６Ａ】従来のシールドワイヤ対の場合のリターンロスの図５Ａに関連する図である。
【図６Ｂ】変化する撚り長でもって巻かれた中間膜を備えた一対のワイヤの場合のリターンロスの図５Ｂに関連する図である。
【発明を実施するための形態】
【００３１】
添付図面では、同一に作用する部品には同じ参照符号が与えられている。
【００３２】
図１〜図３では、２つのワイヤ４からなる少なくとも１つのワイヤ対２が表され、各ワイヤ４はこのときワイヤ絶縁８により囲まれた中心導体６を呈示する。ワイヤ対２は、中間膜１２を内挿しワイヤ対２を囲む対シールド１０により各々囲まれる。
【００３３】
図１による実施変形形態では、対シールド１０は、ＰＥＴ裏打ち膜の形式を採る裏打ち層１６ａを形成する単一多層シールドフォイル１４およびまた導電層１６ｂによりそれに取り付けられたアルミニウム被覆により形成される。導電層１６ｂは外方に配向される。したがって、シールドフォイル１４の場合、これはその長手縁端がワイヤ４と縦方向１７に平行に延びる縦方向折り畳みシールドフォイル１４の問題である。ワイヤ４は捩じられない状態でかつ互いに平行に縦方向１７に延びる。
【００３４】
さらに、ペア構造全体は粘着性外側膜２０により包まれ、そのおかげで構造全体が固定される。この外側膜２０はこのときプラスチック膜である。
【００３５】
対シールド１０と外側膜２０との間に、導電層１６ｂと電気的に接触したドレインワイヤ１８がさらに配置される。ドレインワイヤ１８はコネクタ領域内の対シールド１０の接続の単純化に役立つ。ドレインワイヤ１８はワイヤ４の中心軸も通る共通中心線上にある。ドレインワイヤ１８は、特に中間膜１２の外側に、したがってワイヤ４同士間のフィラ領域の外側にも位置する。双方向対向配置のおかげで、高度に対称的な構造が得られる。原理的に、いかなるドレインワイヤも無いまたはただ１つのドレインワイヤを有する代替構成が可能である。
【００３６】
すべてのフォイル／膜は、通常わずか数μｍの範囲内の厚さを呈示する。なお中間膜１２およびまた外側膜２０を有する場合のように、巻き付け膜（ｓｐｕｎ  ｆｉｌｍ）の問題である限り、これらは通常４ｍｍ〜６ｍｍの範囲内の幅を呈示する。
【００３７】
一方、シールドフォイル１４の場合、これは優先的に縦方向折り畳みフォイルの問題であり、中間膜１２はワイヤ対２周囲に巻き付けられている。これは特に図２による側面図から得られる。中間膜１２はこの場合平均撚り長ｌｍでもってワイヤ対２周囲に巻き付けられている。中間膜１２の撚り長ｌ、したがってピッチは、この場合平均撚り長ｌを中心に差Δだけ変化する。
【００３８】
図２において、対シールド１０の表示は全体図の見易さのために省略されており、中間膜１２だけが依然として識別され得る。
【００３９】
図３に例示的やり方で表されるデータケーブル２２は通常、それぞれが対シールド１０を備える１つまたは複数のワイヤ対２を呈示する。各対素子は好適には、図１および図２を参照して説明したような構造を呈示する。対シールド１０により囲まれた個々のワイヤ対２は、対シールド１０から電気化学的に分離された外側シールド２４により後で同様に囲まれる伝送コアを形成する。外側シールド２４の場合、これは、実施形態では、外部編み組みシールド２４Ａを有するとともに好適にはシールドフォイル１４のように形成された内部全体シールドフォイル２４Ｂを有する多層構造の問題である。外側シールド２４はまた、一層内に形成されてもよい。実施形態では、外側シールドと伝送コアとの間に別の絶縁膜２５が巻き付けられている。外側シールド２４周囲には、最後に、ケーブル被覆２６がデータケーブル２２の外側保護シースにより配置された。この場合、これは通常、押し出しケーブル被覆２６の問題である。
【００４０】
図４には、中間膜１２の平均撚り長ｌの変動の例示的曲線が表される。識別され得るように、撚り長ｌは最大撚り長ｌｍａｖと最小撚り長ｌｍｉｎとの差Δだけ平均撚り長ｌｍを中心に変化する。この場合、変動は、特に図４に例示的やり方で表された正弦曲線に従って一様にかつ定期的に発生する。したがって、この曲線は、通常数メートルの範囲内に入る周期長ｐを有する周期性を呈示する。
【００４１】
以下では、中間膜１２の場合の撚り長ｌの変動の影響について、図５Ａおよび５Ｂならびに図６Ａおよび６Ｂを参照して明らかにされる。表された線図は各々の測定曲線を概略的に示す。ここでは、デシベルｄＢの減衰ａがギガヘルツＧＨｚの周波数ｆにわたってプロットされた。測定曲線は、対シールドワイヤ対２の図１による基本構造を有するデータケーブル２２の場合に得られた。図５Ａ、６Ａによる測定の場合、ベースは一定撚り長ｌを有する中間膜１２を有する従来構造であり、図５Ｂ、６Ｂの測定曲線の場合、ベースは中間膜１２の変化する撚り長ｌを有する構造であった。測定は、約６ｍｍの中間膜１２の平均撚り長ｌｍでもってなされた。したがって、撚り長ｌは、２５ＧＨｚを超える十分に高い周波数方向に減衰ピークをシフトするために（いかなる撚り長の変化も設定されていなければ）必要な、通常約３ｍｍの従来選択された撚り長より明らかに長い。
【００４２】
図５Ａ、５Ｂの一対の線図は２つのケーブル変形形態の比較における挿入損［ｄＢ単位］の曲線を示し、図６Ａ、６Ｂの一対の線図は２つのケーブル変形形態の比較におけるリターンロス［ｄＢ単位］の曲線を示し、各々周波数に対しプロットされた。
【００４３】
容易に識別され得るように、挿入損は通常、周波数の増加とともに連続的に増加する。約１９ＧＨｚにおいて、一定撚り長を有する変形形態におけるデータケーブル２２は、極めて強い減衰ピーク（ここで示す例では５０ｄＢを超える変位）を示す。したがって、リターンロスは、同様な曲線と約１９ＧＨｚにおける同様な反射ピークとを示す。ピークの高さは絶対減衰量と線の長さとに依存する。
【００４４】
対照的に、変化する撚り長ｌを有する中間膜１２を有するデータケーブル２２の場合、挿入損のピークもリターンロスのピークも対応する周波数範囲内に存在しない。撚り長を変化させることにより、ピークの底部はそれに応じて例えば優先的に数ＧＨｚ、特に３ＧＨｚ〜６ＧＨｚの幅へ明確に拡大される。相応して、ピークの高さも明確に低減され、雑音状の波状曲線だけが当該幅全体にわたって明らかである。この雑音の信号レベルは元のピーク高さの何分の１かのみ、例えば元のピーク高さの１０％未満になる。
【符号の説明】
【００４５】
２  ワイヤ対
４  ワイヤ
６  導体
８  ワイヤの絶縁
１０  対シールド
１２  中間膜
１４  シールドフォイル
１６ａ  裏打ち層
１６ｂ  導電層
１７  縦方向
１８  ドレインワイヤ
２０  外側膜
２２  データケーブル
２４  外側シールド
２４Ａ  編み組みシールド
２４Ｂ  シールドフォイル
２５  膜
２６  ケーブル被覆
ａ  減衰
ｆ  周波数
ｌ  撚り長
ｌｍ  平均撚り長
ｌｍａｘ  最大撚り長
ｌｍｉｎ  最小撚り長
ｐ  周期長
Δ  ピッチの差
Ｂ  幅
【図１】
0006374091.tif 000002
【図２】
0006374091.tif 000003
【図３】
0006374091.tif 000004
【図４】
0006374091.tif 000005
【図５Ａ】
0006374091.tif 000006
【図５Ｂ】
0006374091.tif 000007
【図６Ａ】
0006374091.tif 000008
【図６Ｂ】
0006374091.tif 000009